(57)【特許請求の範囲】
【請求項１】
下方に向かうほど建物側に位置するように傾斜した鼻隠に取り付けられて、角樋を支持する樋吊り具であって、
前記鼻隠の前面に固定されることで前記鼻隠に取り付けられる固定部を有する吊り具本体と、
この吊り具本体に設けられ前記角樋の前壁上端および後壁上端を保持する保持部と、
前記吊り具本体に設けられ前記保持部に前記角樋が保持された状態で前記角樋の後壁の内面を支持する支持部と
を備えており、
前記支持部が、前記鼻隠に沿って近接して傾斜する前記角樋の後壁の内面を支持することにより、前記角樋は前記鼻隠の傾斜に沿うように傾斜状態で取り付けられ、
前記支持部には、前記固定部に設けられた突部と対向する箇所に凹所が設けられている
ことを特徴とする樋吊り具。
【請求項２】
下方に向かうほど建物側に位置するように傾斜する鼻隠と、
この鼻隠に取り付けられた樋吊り具と、
この樋吊り具に支持された角樋と
を備えた軒樋の取付構造であって、
前記樋吊り具は、
前記鼻隠の前面に固定されることで前記鼻隠に取り付けられる固定部を有する吊り具本体と、
この吊り具本体に設けられ前記角樋の前壁上端および後壁上端を保持する保持部と、
前記吊り具本体に設けられ前記角樋の後壁の内面を支持する支持部と
を備えており、
前記支持部が、前記鼻隠に沿って近接して傾斜する前記角樋の後壁の内面を支持することにより、前記角樋は前記鼻隠の傾斜に沿うように傾斜状態で取り付けられ、
前記支持部には、前記固定部に設けられた突部と対向する箇所に凹所が設けられている
ことを特徴とする軒樋の取付構造。
【発明の詳細な説明】
【技術分野】
【０００１】
本発明は、樋吊り具および軒樋の取付構造に関する。
【背景技術】
【０００２】
特許文献１には、従来の樋吊り具が開示されている。この特許文献１記載の軒樋支持具は、固定部と、固定部から突出した吊部とを備えている。吊部には、角樋からなる軒樋が取り付けられる。
【０００３】
この軒樋支持具は、傾斜した鼻隠し板に取り付けられる。このため、固定部と鼻隠し板との間には、補助部材が設けられる。補助部材は、後面が鼻隠し板の傾斜に合わせて傾斜し、前面が鉛直面となるように構成されている。
【０００４】
鼻隠し板に補助部材を介して軒樋支持具が取り付けられる。この軒樋支持具に角樋が取り付けられると、角樋は、底面が略水平な状態（以下、水平状態という）で取り付けられる。
【先行技術文献】
【特許文献】
【０００５】
【特許文献１】特開２００９−１７４２６４号公報
【発明の概要】
【発明が解決しようとする課題】
【０００６】
しかしながら、この従来の軒樋支持具の取付構造は、軒樋支持具の固定部と鼻隠し板との間に補助部材を介在させて、軒樋を水平状態で支持するものである。このため、傾斜する鼻隠しの前面と軒樋との間には、下方ほど拡がった隙間が形成されてしまい、下方から見ると、軒樋支持具が大きく露出してしまう。
【０００７】
本発明は、上記事情に鑑みてなされたものであり、その目的とするところは、傾斜した鼻隠に取り付けられる樋吊り具において、外観を損なうことを防止できる樋吊り具および軒樋の取付構造を提供することにある。
【課題を解決するための手段】
【０００８】
本発明の樋吊り具は、下方に向かうほど建物側に位置するように傾斜した鼻隠に取り付けられて、角樋を支持する樋吊り具であって、前記鼻隠の前面に固定されることで前記鼻隠に取り付けられる固定部を有する吊り具本体と、この吊り具本体に設けられ前記角樋の前壁上端および後壁上端を保持する保持部と、前記吊り具本体に設けられ前記保持部に前記角樋が保持された状態で前記角樋の後壁の内面を支持する支持部とを備えており、前記支持部が、前記鼻隠に沿って近接して傾斜する前記角樋の後壁の内面を支持することにより、前記角樋は前記鼻隠の傾斜に沿うように傾斜状態で取り付けられ、前記支持部には、前記固定部に設けられた突部と対向する箇所に凹所が設けられていることを特徴とする。
【０００９】
また本発明の軒樋の取付構造は、下方に向かうほど建物側に位置するように傾斜する鼻隠と、この鼻隠に取り付けられた樋吊り具と、この樋吊り具に支持された角樋とを備えた軒樋の取付構造であって、前記樋吊り具は、前記鼻隠の前面に固定されることで前記鼻隠に取り付けられる固定部を有する吊り具本体と、この吊り具本体に設けられ前記角樋の前壁上端および後壁上端を保持する保持部と、前記吊り具本体に設けられ前記角樋の後壁の内面を支持する支持部とを備えており、前記支持部が、前記鼻隠に沿って近接して傾斜する前記角樋の後壁の内面を支持することにより、前記角樋は前記鼻隠の傾斜に沿うように傾斜状態で取り付けられ、前記支持部には、前記固定部に設けられた突部と対向する箇所に凹所が設けられていることを特徴とする。
【発明の効果】
【００１０】
本発明の樋吊り具によれば、支持部によって角樋の後壁の内面を支持することができるため、鼻隠の傾斜に沿うように角樋を傾斜状態で取り付けても角樋が脱落等をするのを防ぐことができ、従って、角樋の後壁を鼻隠に近接させて取り付けることができる。
【００１１】
また、本発明の軒樋の取付構造によれば、角樋の後壁の内面を支持した状態で角樋の後壁が鼻隠に近接するように配置されているため、角樋が脱落等するのを防ぎながら、下方から樋吊り具が大きく露出するのを防ぐことができる。
【００１２】
この結果、本発明の樋吊り具および軒樋の取付構造によれば、傾斜した鼻隠に取り付けられる樋吊り具において、外観を損なうことを防止できる。
【図面の簡単な説明】
【００１３】
【図１】本実施形態の軒樋の取付構造の断面図である。
【図２】（ａ）〜（ｄ）は、本実施形態の角樋の取り付け方法を示す断面図である。
【図３】従来の樋吊り具の断面図である。
【発明を実施するための形態】
【００１４】
以下、本発明の実施形態について添付図面に基づいて説明する。
【００１５】
本実施形態の樋吊り具３は、図１に示すように、軒下の鼻隠１１に取り付けられて角樋２からなる軒樋（以下、単に角樋２という）を支持するものである。鼻隠１１は、屋根面に直交した横板である。鼻隠１１は、左右方向に長さを有し、屋根面とは直角な方向に幅を有している。鼻隠１１の幅方向は、下方に向かうほど建物側（屋内側）に向かうように傾斜している。
【００１６】
角樋２は、軒先に取り付けられる軒樋である。角樋２は、例えば、ガルバリウム鋼板などの鋼板や、合成樹脂などにより構成される。なお、角樋２は、鋼板や合成樹脂に限らず、合成樹脂に金属板をインサート成形したものであってもよい。
【００１７】
角樋２は、左右方向（軒方向）に長さを有している。また、角樋２は、後壁２１と、後壁２１の下端から前方に向かって延出した底壁２３と、底壁２３の前端から上方に向かって延出した前壁２２とを備えている。前壁２２は、上方に向かうほど前方に位置するように傾斜している。また底壁２３は、前方に向かうほど下方に位置するように傾斜している。後壁２１と底壁２３と前壁２２とは、一体に成形されている。
【００１８】
後壁２１の上端には、後耳部２４が設けられている。また、前壁２２の上端には、前耳部２５が設けられている。前耳部２５および後耳部２４は、樋吊り具３に保持される。前耳部２５は、前壁２２の上端が略三角形状に折り曲げられて形成されている。後耳部２４は、後壁２１の上端が前方に折り曲げられ、さらにその先端が下方に折り曲げられており、つまり、後壁２１の上端が折り返されて形成されている。
【００１９】
樋吊り具３は、角樋２を支持する。樋吊り具３は、吊り具本体４と、保持部５と、支持部６とを備えている。吊り具本体４と保持部５と支持部６とは、例えば、合成樹脂により一体成形されている。なお、樋吊り具３は、例えば、金属製の樋吊り具であってもよく、合成樹脂により形成されたものに限定されない。
【００２０】
吊り具本体４は、鼻隠１１の前面に固定され、これにより鼻隠１１に取り付けられる。吊り具本体４は、固定部４１と、吊部４４とを備えている。
【００２１】
固定部４１は、鼻隠１１の前面に固定される。固定部４１は、上下方向に長さを有し、左右方向に幅を有し、正面視矩形状をしている。固定部４１は、鼻隠１１の前面に固定されると、鼻隠１１の前面の傾斜に沿うように傾斜する（つまり、下方に向かうほど建物側に位置するように傾斜する）。固定部４１には、固着具挿通孔（図示せず）が複数箇所に設けられている。固定部４１は、固着具挿通孔に固着具を通した上で、当該固着具を鼻隠１１に打ち込むことで、鼻隠１１に固定される。
【００２２】
固定部４１の下端部には、テーパ部４２と、突部４３とが設けられている。テーパ部４２は、下方に向かうほど固定部４１の後面に近づくように傾斜した面である。テーパ部４２は、支持部６との間に角樋２の後壁２１を通すための隙間を形成するために設けられている。
【００２３】
突部４３は、固定部４１の前面から前方に向かって突出している。突部４３の下面は、下方に向かうほど固定部４１の後面に近づくように傾斜し、これにより、テーパ部４２と連続している。突部４３は、後述の後保持部５３に保持された角樋２の後壁２１上端が脱落するのを防ぐ。
【００２４】
吊部４４は、固定部４１から前方に向かって突出している。吊部４４は、前後方向に長さを有し、左右方向に幅を有している。吊部４４の長さ方向は、固定部４１の前面に直交している。これにより、吊部４４の長さ方向は、固定部４１が鼻隠１１に固定されると、前側に向かうほど下方に位置するように傾斜する。また、吊部４４の前側の端部には、ガイド部４６が形成されている。ガイド部４６は、角樋２を取り付ける際に、角樋２の前耳部２５を前保持部５１に導入しやすくさせる。
【００２５】
このような構成の吊り具本体４には、角樋２を吊持するための保持部５が設けられる。保持部５は、角樋２の前壁２２上端と後壁２１上端とを保持する。本実施形態の樋吊り具３は、保持部５として、前保持部５１と、後保持部５３とを備えている。
【００２６】
前保持部５１は、吊部４４の長さ方向の前側の端部（すなわち、吊部４４の先端）に設けられている。前保持部５１は、角樋２の前壁２２上端に設けられた前耳部２５を保持する。前保持部５１は、吊部４４の先端から上方に向かって突出した係止爪５２によって構成されている。
【００２７】
後保持部５３は、吊部４４と支持部６との境界部分に設けられており、すなわち、吊部４４の基部４５に設けられている。後保持部５３は、角樋２の後壁２１上端に設けられた後耳部２４を保持する。後保持部５３は、後耳部２４が載置される載置面５４と、載置面５４の後端から突出した突起５５とを備えている。
【００２８】
なお、ここで言う「吊部４４の基部４５」とは、吊部４４に直接設けられたものだけでなく、吊部４４の固定部４１側の端部に、支持部６を介して設けられたものも含む。すなわち、「吊部４４の基部４５」とは、吊部４４の固定部４１側の端部の近傍の部分として定義される。
【００２９】
また、吊り具本体４には、角樋２の後壁２１内面を支持する支持部６が設けられている。支持部６は、吊部４４の固定部４１側の端部から下方に向かって突出している。支持部６は、前保持部５１と後保持部５３とに角樋２が保持されると、角樋２の後壁２１の内面に当たるように構成されている（この角樋２の内面に当接する箇所を当接面６１という）。支持部６は、傾斜した鼻隠１１に樋吊り具３が固定され、当該樋吊り具３に角樋２が取り付けられると、角樋２の後壁２１の内面を支持する。支持部６は、角樋２を支持できる強度を確保するために、上方に向かうほど前後方向の厚さが大きくなるように形成されている。
【００３０】
支持部６には、固定部４１に設けられた突部４３と対向する箇所に凹所６２が設けられている。凹所６２と突部４３との間の間隙が、角樋２の後耳部２４を挿通するための挿通路７となる。挿通路７において、当接面６１は、突部４３の頂点よりも、角樋２の後壁２１の厚み寸法だけ前方に位置するように形成されている。これにより、角樋２の後耳部２４が、後方に移動しようとしても突部４３に移動規制され、後保持部５３から脱落しにくくなっている。
【００３１】
このような構成の樋吊り具３は、鼻隠１１に取り付けられる。鼻隠１１は、下方に向かうほど建物側に位置するように傾斜している。この鼻隠１１の前面に固着具を介して固定部４１が固定されると、吊部４４が前方に向かうほど下方に位置するように傾斜する（図２（ａ））。
【００３２】
鼻隠１１に取り付けられた樋吊り具３には、角樋２が取り付けられる。施工者は、角樋２の前壁２２を後壁２１よりも下方に位置させた状態で、後壁２１を挿通路７に通す（図２（ａ））。図２（ｂ）に示すように、角樋２の後耳部２４が凹所６２の上側の斜面に当たるが、施工者は、この状態から角樋２を上方に押し込む。すると、角樋２が樋吊り具３に当たって弾性変形し（図２（ｃ））、さらに施工者が押し込むことで、後耳部２４が後保持部５３に保持される。この後、施工者は、前耳部２５を上方に向かって押し上げ、前耳部２５を前保持部５１に保持させる（図２（ｄ））。
【００３３】
この状態では、角樋２の後壁２１の内面に支持部６の当接面６１が当たり、これにより、支持部６が角樋２の後壁２１の内面を支持する。そして、角樋２は、後壁２１が鼻隠１１に沿って近接するように配置される。
【００３４】
以上説明したように、本実施形態の樋吊り具３は、傾斜した鼻隠１１に取り付けられて、角樋２を支持するものである。樋吊り具３は、吊り具本体４と、保持部５と、支持部６とを備えている。樋吊り具３は、鼻隠１１の前面に固定される。保持部５は、この吊り具本体４に設けられており、角樋２の前壁２２上端および後壁２１上端を保持する。支持部６は、吊り具本体４に設けられており、保持部５に角樋２が保持された状態で、角樋２の後壁２１の内面を支持する。
【００３５】
このため、本実施形態の樋吊り具３は、支持部６によって角樋２の後壁２１の内面を支持することができるため、鼻隠１１の傾斜に沿うように角樋２を傾斜状態で取り付けても角樋２が脱落等をするのを防ぐことができる。
【００３６】
この点について、従来の樋吊り具３を傾斜する鼻隠１１に直接取り付けた場合、従来の樋吊り具３には支持部６が設けられていないため、角樋２は前保持部５１を中心に後壁２１部側が下方に回転しようとする。つまり、従来の樋吊り具３によれば、角樋２に対し、自重による鉛直下方への力だけでなくモーメントが掛かるため、角樋２が脱落しやすい。また、降雪時には、図３に示すように、屋根１から滑り落ちた雪が角樋２の前壁２２側に堆積しやすいが、このとき、雪の荷重により、後壁２１に前側に向かう引張り荷重が作用する。すなわち、従来の樋吊り具３によれば、角樋２は変形してしまいやすいという問題もある。
【００３７】
これに対し、本実施形態の樋吊り具３は、支持部６が角樋２の後壁２１の内面を支持するため、積雪による角樋２の変形も防止することができる。
【００３８】
この結果、本実施形態の樋吊り具３によれば、角樋２の脱落を防止した状態で、傾斜する鼻隠１１に直接取り付けることができる。
【００３９】
また、本実施形態の軒樋の取付構造は、下方に向かうほど建物側に位置するように傾斜する鼻隠１１と、この鼻隠１１に取り付けられた樋吊り具３と、この樋吊り具３に支持された角樋２とを備えている。樋吊り具３は、吊り具本体４と、保持部５と、支持部６とを有している。保持部５は、吊り具本体４に設けられており、角樋２の前壁２２上端および後壁２１上端を保持する。支持部６は、吊り具本体４に設けられており、角樋２の後壁２１の内面を支持する。そして、この取付構造は、角樋２の後壁２１が、鼻隠１１に沿って近接するように配置されている。
【００４０】
このため、本実施形態の軒樋の取付構造によれば、角樋２の後壁２１が、鼻隠１１に沿って近接するように配置されているため、下方から軒樋側を見て、できる限り樋吊り具３が露出しないようにできる。従って、居住者等が地面から軒樋側を見上げた場合においても、樋吊り具３が目立たないようにできて、建物の外観が損なわれるのを防止できる。しかも、本実施形態の軒樋の取付構造によれば、支持部６によって角樋２の後壁２１の内面が支持されるため、角樋２の後壁２１が、鼻隠１１に沿って近接するように配置されても、角樋２の変形や脱落を防止することができる。
【００４１】
なお、本実施形態の樋吊り具３は、保持部５として後保持部５３を備えており、この後保持部５３が吊部４４の基部４５に設けられたものであったが、本発明においては、保持部５の箇所は限定されない。例えば、後保持部５３は固定部４１に設けられていてもよい。
【００４２】
また、本実施形態の吊部４４は、直線状に近い形状をしていたが、図３に示された従来の吊部のように、長さ方向の中間で屈曲させて、先端側が、先端に向かうほど上方に位置するように傾斜していてもよい。また、角樋２の前壁２２の上端や後壁２１の上端の形状は特に限定されない。
【符号の説明】
【００４３】
１      屋根
１１    鼻隠
２      角樋
２１    後壁
２２    前壁
２４    後耳部
２５    前耳部
３      樋吊り具
４      吊り具本体
４１    固定部
４４    吊部
４５    基部
４６    ガイド部
５      保持部
５１    前保持部
５３    後保持部
６      支持部
６１    当接面
【要約】
【課題】傾斜した鼻隠に取り付けられる樋吊り具において、外観を損なうことを防止できる樋吊り具および軒樋の取付構造を提供する。
【解決手段】本発明の樋吊り具３は、傾斜した鼻隠１１に取り付けられて角樋２を支持する。樋吊り具３は、鼻隠１１の前面に固定される吊り具本体４と、この吊り具本体４に設けられ前記角樋２の前壁２２上端および後壁２１上端を保持する保持部５と、前記吊り具本体４に設けられ前記保持部５に前記角樋２が保持された状態で前記角樋２の後壁２１の内面を支持する支持部６とを備えている。
【選択図】図１【図１】
0005636084.tif 000002
【図２】
0005636084.tif 000003
【図３】
0005636084.tif 000004